(57)【特許請求の範囲】
【請求項１】
内部に写真フイルムを装填し、カメラ本体に着脱自在に取り付けられるホルダ本体と、このホルダ本体のカメラ本体に取り付けられる面に設けられ、前記写真フイルムに露光を与える露光用開口と、前記ホルダ本体に抜き差しされ、前記露光用開口を開閉する引き蓋とからなるフイルムホルダにおいて、
前記ホルダ本体がカメラ本体から外されているか否かを検知する着脱検知手段と、引き蓋が露光用開口を閉じる所定の閉じ位置から一定量以上引き出されたことを検知する引き蓋検出手段と、写真フイルムがホルダ本体内に撮影可能に装填されているか否かを検知するフイルム検知手段と、前記着脱検知手段，引き蓋検知手段及びフイルム検知手段からの各検知信号を受けて写真フイルムが撮影可能に装填されているにもかかわらずホルダ本体がカメラ本体から外されかつ引き蓋が一定量以上引き出された時に所定の警告手段を起動して警告を発する制御手段とを備えたことを特徴とするフイルムホルダ。
【請求項２】
前記警告手段は、音を発生させるものであることを特徴とする請求項１記載のフイルムホルダ。
【請求項３】
前記警告手段は、光を発するものであることを特徴とする請求項１記載のフイルムホルダ。
【請求項４】
内部に写真フイルムを装填し、カメラ本体に着脱自在に取り付けられるホルダ本体と、このホルダ本体に抜き差しされ、前記カメラ本体に取り付けられる面に設けられた露光用開口を開閉する引き蓋とからなるフイルムホルダの制御方法において、
前記引き蓋の有無を検知し、引き蓋がある状態からない状態に変化した場合にはカメラ本体との接続状態を検知し、カメラ本体から外れている場合には写真フイルムが撮影可能に装填されているか否かを検知し、写真フイルムが撮影可能に装填されている場合には警告を発するフイルムホルダの制御方法。
【発明の詳細な説明】
【０００１】
【発明の属する技術分野】
本発明は、不用意な引き蓋の引き抜きを防止したフイルムホルダ及びその制御方法に関するものである。
【０００２】
【従来の技術】
１２０タイプや２２０タイプのブローニーフイルム（以下写真用ロールフイルムという）を用いる中判カメラは、フイルムホルダがカメラ本体と着脱自在になっているものが多い。これは、中判カメラユーザーの多くがプロやハイアマチュアであり、撮影途中でカラーとモノクロとを撮り分けたり、また同じカラーでもリバーサルフイルムとネガカラーフイルムとを交互に撮ったり、また予めフイルム装填された別のフイルムホルダを用意しておいて素早くフイルム交換する等に有利であるからである。
【０００３】
このようなカメラを使用するには、まず引き蓋を差してホルダ本体の前面に設けられた露光用開口を閉じた状態でホルダ本体内に写真用ロールフイルムを装填する。次に、フイルム装填が終わったフイルムホルダをカメラ本体に装着した後、引き蓋を引き抜く。被写体に応じてシャッタ速度や絞りを決め、フレーミングを行ってから、レリーズ操作を行う。撮影途中でフイルムホルダを交換する場合には、ホルダ本体に引き蓋を差し込んでから、カメラ本体から取り外し、別のフイルムホルダをカメラ本体に装着する。
【０００４】
このような引き蓋の抜き差しを伴う操作は、慣れを要する面倒なものであるから、不慣れな初心者が間違えてカメラ本体から外れている状態で引き蓋を引き抜かないように、一般に引き蓋とホルダ本体との間にロック機構が設けられている。
【０００５】
【発明が解決しようとする課題】
上記のようなロック機構が設けられているにもかかわらず、間違えてロック機構を解除して引き蓋を引き抜く場合があり、問題となっていた。
【０００６】
本発明は、不用意な引き蓋の引き抜きを防止したフイルムホルダ及びその制御方法を提供することを目的とする。
【０００７】
【課題を解決するための手段】
上記目的を達成するために、本発明のフイルムホルダは、内部に写真フイルムを装填し、カメラ本体に着脱自在に取り付けられるホルダ本体と、このホルダ本体のカメラ本体に取り付けられる面に設けられ、前記写真フイルムに露光を与える露光用開口と、前記ホルダ本体に抜き差しされ、前記露光用開口を開閉する引き蓋とからなるフイルムホルダにおいて、前記ホルダ本体がカメラ本体から外されているか否かを検知する着脱検知手段と、引き蓋が露光用開口を閉じる所定の閉じ位置から一定量以上引き出されたことを検知する引き蓋検出手段と、写真フイルムがホルダ本体内に撮影可能に装填されているか否かを検知するフイルム検知手段と、前記着脱検知手段，引き蓋検知手段及びフイルム検知手段からの各検知信号を受けて写真フイルムが撮影可能に装填されているにもかかわらずホルダ本体がカメラ本体から外されかつ引き蓋が一定量以上引き出された時に所定の警告手段を起動して警告を発する制御手段とを備えたものである。また、前記警告手段は、音を発生させるものである。また、前記警告手段は、光を発するものである。
【０００８】
また、本発明のフイルムホルダの制御方法は、内部に写真フイルムを装填し、カメラ本体に着脱自在に取り付けられるホルダ本体と、このホルダ本体に抜き差しされ、前記カメラ本体に取り付けられる面に設けられた露光用開口を開閉する引き蓋とからなるフイルムホルダの制御方法において、前記引き蓋の有無を検知し、引き蓋がある状態からない状態に変化した場合にはカメラ本体との接続状態を検知し、カメラ本体から外れている場合には写真フイルムが撮影可能に装填されているか否かを検知し、写真フイルムが撮影可能に装填されている場合には警告を発するものである。
【０００９】
【発明の実施の形態】
本発明のフイルムホルダ１は、図２に示すように、カメラ２のカメラ本体３の後部に着脱自在に取り付けられる。フイルムホルダ１は、裏紙付きの写真フイルム４をロール状に巻き付けた写真用ロールフイルム５が中枠を介して装填されるホルダ本体６と、このホルダ本体６に抜き差しされ、ホルダ本体６の前面に形成された露光用開口７を開閉する引き蓋８とからなる。なお、符号８ａは引き蓋８の把手部である。また、フイルムホルダ１の上面には、コマ番号を初めとする各種のデータを表示する液晶表示板９や各種操作を行う複数個のボタン１０等が配置されている。
【００１０】
ホルダ本体６と引き蓋８との間には、図示しないロック機構が設けられており、フイルムホルダ１をカメラ本体３から外した状態では、ロック機構の解除操作を行わないかぎり、引き蓋８をホルダ本体６から抜き差しできないようになっている。
【００１１】
フイルムホルダ１の電気的な構成を示す図３において、ホルダ本体６に内蔵された回路基板にはフイルムホルダ全体の制御を行うＣＰＵ２０が取り付けられており、これに、前記液晶表示板９の他、カメラ本体３との着脱状態を検知する着脱検知手段としての着脱検知センサ２１と、引き蓋８が露光用開口７を閉じる所定の閉位置から一定量以上引き出されたことを検知する引き蓋検出手段としての引き蓋検知センサ２２と、前記複数個のボタン１０の各下に設けられたスイッチ群であるＳＷ２３と、これを背後から照明するバックライトの駆動制御を行うバックライト駆動回路２４と、フイルム給送路に設けられたフォトセンサ２５からの信号に基づいてパスターのバーコードからフイルム感度や製品名等のフイルム情報を読み取るバーコード読取回路２６と、フイルム給送量を検出して１コマ送り制御に用いるエンコーダ等からなるフイルム給送量検出回路２７と、給送モータの駆動制御を行う給送モータ駆動回路２８と、各種のデータを写真フイルム４の縁に写し込むデータ写し込み制御回路２９と、詳しくは後述する引き蓋の不用意な引き抜き時や撮影可能な枚数が最後の１枚になったとき等に警告用のブザーを鳴らすブザー回路３０と、各種表示用のデータテーブルや種々のシーケンスプログラムを記憶したＥＥＰＲＯＭ３１と、裏蓋６ａの開閉状態を検知する裏蓋検知センサ３２と、カメラ本体３にフイルムホルダ１を装着した際にカメラ本体３のＣＰＵにＣＰＵ３０を連結するインターフェース３３とが接続されている。
【００１２】
なお、前記着脱検知センサ２１は、例えばホルダ本体６の前面に投，受光を設けた反射型フォトセンサである。また、引き蓋検知センサ２２は、図２に示すように、例えば閉位置にある引き蓋８の先端部近傍に設けられた反射型センサであり、引き蓋８がロック状態における遊び量（例えば１ｍｍ程度）を超えた抜き差しを検知する。引き蓋検知センサ２２からの出力信号が、例えば「１」→「０」と変化したときには、ＣＰＵ２０は引き蓋８が「有り」→「無し」に変位した（引き抜かれた）と判断し、また「０」→「１」と変化したときには、引き蓋８が「無し」→「有り」に変位した（挿入された）と判断する。また、前記パスターとは、写真フイルムの一方の端を遮光紙に接合している接合テープである。
【００１３】
このように構成されたフイルムホルダ１の作用を説明する。まず、引き蓋８がホルダ本体６の側面に設けられたスリットから奥まで差し込まれ、露光用開口７が光密に閉じられていることを確認してから、カメラ本体３からフイルムホルダ１を外す。裏蓋６ａを開けてホルダ本体６から中枠を取り出し、この中枠に遮光紙をΩ状にセットしてから、中枠を元に戻して裏蓋を閉じる。
【００１４】
この後、ボタン１０の中の１ｓｔフレームセット（ＦＦＳ）ボタンを押すと、フイルム給送が開始される。パスターが中枠に設けられたフォトセンサ２５の位置に達すると、パスターのバーコードがバーコード読取回路２６によって読み取られ、この読取信号がＣＰＵ３０に送出される。これと同時に、フォトセンサ２５がパスターを検出した時点からの規定量送り制御が行われ、写真フイルム４の第１コマ目が露光用開口７に相対する露光位置にセットされる。
【００１５】
ＣＰＵ３０は、バーコード読取回路３４からの読取信号に基づいてフイルム感度データ等のフイルム情報を検出した後、露光制御で用いるフイルム感度データ等を設定するとともに、フイルム感度等を液晶表示板９に表示する。
【００１６】
フイルム装填が終わったフイルムホルダ１をカメラ本体３の後端部に装着してから、フイルムホルダ１の引き蓋を抜き取り、フレーミング等を決めてからレリーズ操作すれば、第１コマ目の写真フイルム４に被写体画像が露光される。この後、１コマ給送が行われて第２コマ目の写真フイルム４が露光位置に自動セットされ、以下同様に撮影を行うことができる。
【００１７】
内部に装填した写真フイルム４の全コマを撮影し終わる前にフイルムホルダ１を交換（途中交換）する場合には、引き蓋８をホルダ本体６に差し込んで露光用開口７を閉じてから、フイルムホルダ１をカメラ本体３から取り外す。この状態では、引き蓋８とホルダ本体６との間にはロックがかかっており、引き蓋８を不用意に引き抜くことができないようになっている。しかしながら、何らかの理由で内部の写真フイルム４が詰まった場合等の緊急時に対応できるように、ロック機構の解除を行うためのボタンが用意されている。このボタンは、比較的簡単に操作できるようになっているため、初心者等が誤ってロック機構を解除して引き蓋８を引き抜く場合もあり得る。
【００１８】
図１に示すように、引き蓋８がロック状態における遊び量を超えて引き抜かれた場合には、これを引き蓋検知センサ２２が検知してこの検知信号をＣＰＵ２０に送出する。これを受け取ると、ＣＰＵ２０はホルダ本体６がカメラ本体３から外れているか否かを着脱検知センサ２１からの検知信号で判定し、外れている場合には、フイルムカウンタが「０」か、「Ｅ」かを調べる。フイルムカウンタが「０」であれば、まだフイルム装填されていない状態であり、フイルムカウンタが「Ｅ」であれば、写真フイルム４の全撮影が終了して巻き取られている状態であるから問題はない。フイルムカウンタが「０」，「Ｅ」のいずれでもない場合には、写真フイルム４が撮影可能な状態で装填されているので、ブザー回路３０を作動させて警告音を発する。
【００１９】
フイルムホルダ１がカメラ本体３に装着されている場合には、裏蓋検知センサ３２からの検知信号によって裏蓋６ａの開閉状態を検知する。裏蓋６ａが開いている場合には、フイルム装填操作中と判断される。また、裏蓋６ａが閉じている場合には、ＣＰＵ２０はフイルムカウンタが「０」か否かを確認する。
【００２０】
フイルムカウンタが「０」である場合は、写真用ロールフイルム５が未装填であるか、またはまだ１ｓｔフレームセットボタンを押してない状態である。いずれにしても撮影が不可能な状態であるからＣＰＵ２０はインターフェース３３を介してカメラ本体３と交信し、シャッタボタンをロックする等の撮影禁止処理を行った後、電源電圧を測定してこれが規定電圧以上であるか否かを判定する。
【００２１】
電源電圧が規定電圧以上である場合には、ＦＦＳ処理を行い、電源電圧が規定電圧以上でない場合には、ＣＰＵ２０は撮影許可信号をカメラ本体３に送出する。撮影許可が出てもフイルム巻上げ駆動用に電源電圧が足りないが、カメラ本体３からインターフェース３３を介してホルダ本体６に電源が供給される。また、ＦＦＳ処理がなされた後、この処理が正常に終了したか否かが判定され、正常である場合にはＣＰＵ２０は撮影許可信号をカメラ本体３に送出し、正常でない場合には、写真用ロールフイルム５が未装填であると判定される。
【００２２】
引き蓋検知センサ２２からの検知信号が「０」→「１」に変化して引き蓋８がホルダ本体６に差し込まれたことをＣＰＵ２０が検知した場合には、ブザーを鳴らして警告中であるか否かを調べる。警告中であれば、すでに露光用開口７が閉じられているから、ＣＰＵ２０はブザー回路の駆動を停止して警告を中止する。また、警告中でない場合には、ＣＰＵ２０はフイルムホルダ１がカメラ本体３に装着されているか否かを検知して、装着されていれば、撮影許可をカメラ本体３に送出し、装着されていなければ、単にフイルムホルダ１がカメラ本体３から外されている状態で、特に異常ではないと判断する。
【００２３】
撮影が進み、撮影可能なコマ数が最後の１コマとなったときには、ブザー回路３８が作動してブザーを鳴らし、ユーザに注意を促す。最後の１コマを撮影し終わると、自動巻取りが行われ、ユーザは直ちにフイルムホルダ１の蓋を開けて撮影済みの写真用ロールフイルム５を回収することができる。
【００２４】
以上説明した実施形態では、警告を発する手段としてブザー回路を用いたが、本発明はこれに限定されることなく、例えばランプの点滅発光による光によって警告を発するようにしてもよい。また、音と光の両方によって警告してもよい。また、フイルムホルダがカメラ本体に装着されているか否かを検知する着脱検知手段として反射型フォトセンサを用いたが、本発明にこれに限定されることなく、例えばマイクロスイッチでもよい。この場合には、例えばマイクロスイッチの可動部をホルダ本体の前面の一部に突出させ、フイルムホルダをカメラ本体に装着した際に、マイクロスイッチの可動部が押されてマイクロスイッチがオンされるようにする。
【００２５】
また、上記実施形態は本発明を中判カメラに適用した例であったが、本発明はこれに限定されることなく、カメラ本体と着脱可能なフイルムホルダを有するカメラであれば、１３５タイプやアドバンストフォトシステム等のカメラにも適用できる。
【００２６】
【発明の効果】
以上に説明したように、本発明のフイルムホルダ及びその制御方法によれば、写真フイルムが撮影可能に装填されているにもかかわらずホルダ本体がカメラ本体から外されかつ引き蓋が一定量以上引き出された時に警告を発するようにしたので、不用意な引き蓋の引き抜きを防止することができる。また、前記警告を音によって行うと、ユーザーの注意を確実に促すことができる。また、前記警告を光によって行うと、静かな場所でも他に迷惑をかけることなくユーザーの注意を促すことができる。
【図面の簡単な説明】
【図１】本発明に係る引き蓋処理のシーケンスを示すフローチャートである。
【図２】引き蓋をホルダ本体６に差し込んだ状態のフイルムホルダを示す説明図である。
【図３】フイルムホルダの電気的構成を示すブロック図である。
【符号の説明】
１  フイルムホルダ
２  カメラ
３  カメラ本体
４  写真フイルム
５  写真用ロールフイルム
６  ホルダ本体
６ａ  裏蓋
７  露光用開口
８  引き蓋
２０  ＣＰＵ
２１  着脱検知センサ
２２  引き蓋検知センサ
２３  裏蓋検知センサ
３０  ブザー回路
【図１】
0003672213.tif 000002
【図２】
0003672213.tif 000003
【図３】
0003672213.tif 000004